【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）のコードワードを用いて無線チャネルで情報信号を送信する方法であって、
同時伝送に利用可能な複数のＨＡＲＱプロセスのそれぞれに対して１個ずつである２個以上のコードワードを生成する工程（９００）と、
第１の伝送ランクを有する前記情報信号を生成するために前記２個以上のコードワードを第１の複数のレイヤにマッピングする工程（９０２）であって、前記２個以上のコードワードの少なくとも１個は２個以上のレイヤにマッピングされる工程（９０２）と、
最初に、前記無線チャネルで前記情報信号を送信する工程（９０４）と、
続いて、前記複数のＨＡＲＱプロセスの一つを用いて、前記無線チャネルで第２の伝送ランクで、前記２個以上のレイヤにマッピングされていたコードワードのうちの１個のコードワードに含まれる情報ビットのブロックを再送する工程（９０６）と
を有し、
前記第２の伝送ランクは２以上であり、前記第２の伝送ランクは前記第１の伝送ランクと比較して減少しており、
前記再送する工程（９０６）は、
前記１個のコードワードに含まれる前記情報ビットのブロックに基づいて１個の再送用コードワードを生成する工程と、
前記再送用コードワードを第２の複数のレイヤにマッピングする工程と、
前記再送用コードワードを前記第２の伝送ランクで送信する工程と
を有し、
前記第２の複数のレイヤは、前記最初の送信（９０４）において前記１個のコードワードがマッピングされていたレイヤと同数であり、
前記第２の複数のレイヤは、前記第２の伝送ランクと同数のレイヤに対応する
ことを特徴とする方法。
【請求項２】
前記第２の伝送ランクは、２であることを特徴とする請求項１に記載の方法。
【請求項３】
前記第１の伝送ランクは３又は４であることを特徴とする請求項２に記載の方法。
【請求項４】
前記同時伝送に利用可能な複数のＨＡＲＱプロセスが二つ存在することを特徴とする請求項１乃至３の何れか１項に記載の方法。
【請求項５】
前記再送の間の前記第２の伝送ランクは前記無線チャネルのチャネル・ランクに基づいて判定されることを特徴とする請求項１乃至４の何れか１項に記載の方法。
【請求項６】
前記コードワードのそれぞれは、情報ビットのブロックに由来する複数のチャネル符号化ビットを備えることを特徴とする請求項１乃至５の何れか１項に記載の方法。
【請求項７】
前記第１の複数のレイヤは、前記情報信号を生成するためにプリコーダに並列に入力されるシンボル・ストリームであることを特徴とする請求項１乃至６の何れか１項に記載の方法。
【請求項８】
伝送のための複数の送信アンテナの間に前記情報信号に関連するシンボルを分配する工程をさらに有することを特徴とする請求項７に記載の方法。
【請求項９】
前記送信アンテナの個数は４であることを特徴とする請求項８に記載の方法。
【請求項１０】
ハイブリッド自動再送要求（ＨＡＲＱ）のコードワードを用いて無線チャネルで情報信号を送信する送信機（８００）であって、
複数の送信アンテナ（８０２）と、
同時伝送に利用可能な複数のＨＡＲＱプロセスのそれぞれに対して１個ずつである２個以上のコードワードを生成するプロセッサ（８０６）であって、第１の伝送ランクを有する前記情報信号を生成するために前記２個以上のコードワードを第１の複数のレイヤにマッピングするように構成され、前記２個以上のコードワードの少なくとも１個を２個以上のレイヤにマッピングするように構成されたプロセッサ（８０６）と、
前記情報信号を送信する送信チェイン要素（８０４）と
を備え、
前記プロセッサは続いて前記２個以上のレイヤにマッピングされていたコードワードのうちの１個のコードワードに含まれる情報ビットのブロックに基づいて１個の再送用コードワードを生成するように構成され、
前記プロセッサは、第２の伝送ランクを有する再送信号を生成するために前記再送用コードワードを第２の複数のレイヤにマッピングするようにさらに構成され、
前記第２の伝送ランクは２以上であり、前記第２の伝送ランクは前記第１の伝送ランクと比較して減少しており、
前記第２の複数のレイヤは、前記最初の送信において前記１個のコードワードがマッピングされていたレイヤと同数であり、
前記第２の複数のレイヤは、前記第２の伝送ランクと同数のレイヤに対応しており、
前記送信チェイン要素は前記再送信号を前記無線チャネルで送信するように構成される
ことを特徴とする送信機（８００）。
【請求項１１】
前記第２の伝送ランクは２であり、前記第１の伝送ランクは３又は４であり、前記同時伝送に利用可能な複数のＨＡＲＱプロセスが二つ存在することを特徴とする請求項１０に記載の送信機。
【請求項１２】
前記プロセッサは、前記無線チャネルのチャネル・ランクに基づいて前記第２の伝送ランクを判定するようにさらに構成されることを特徴とする請求項１０又は１１に記載の送信機。
【請求項１３】
前記第１の複数のレイヤはシンボル・ストリームであり、
前記プロセッサは、前記情報信号を生成するためにプリコーダに並列に前記シンボル・ストリームを入力するようにさらに構成される
ことを特徴とする請求項１０乃至１２の何れか１項に記載の送信機。
【請求項１４】
伝送のための前記複数の送信アンテナの間に前記情報信号に関連するシンボルが分配されることを特徴とする請求項１３に記載の送信機。
【請求項１５】
前記送信アンテナの個数は４であることを特徴とする請求項１４に記載の送信機。
【請求項１６】
ハイブリッド自動再送要求（ＨＡＲＱ）の２個以上のコードワードを用いて送信された情報信号を受信する方法であって、
前記情報信号を受信する工程（１１００）と、
前記２個以上のコードワードと、第１の伝送ランクを有する前記情報信号を生成するために用いられた第１の複数のレイヤとの間の第１のマッピングを判定する工程（１１０２）であって、前記２個以上のコードワードの少なくとも１個は２個以上のレイヤにマッピングされている、工程（１１０２）と、
前記第１のマッピングの知識を用いて前記情報信号を復号する工程（１１０４）と、
２個以上のレイヤにマッピングされていたコードワードのうちの１個のコードワードに含まれる情報ビットのブロックに基づいて、再送用コードワードを用いて送信された第２の情報信号を受信する工程（１１０６）であって、前記第２の情報信号は第２の伝送ランクを有し、前記第２の伝送ランクは２以上であり、前記第２の伝送ランクは前記第１の伝送ランクと比較して減少している、工程（１１０６）と、
前記再送用コードワードと第２の複数のレイヤとの間の第２のマッピングを判定する工程（１１０８）であって、前記第２の複数のレイヤは、前記最初に受信された情報信号において前記１個のコードワードがマッピングされていたレイヤと同数であり、前記第２の複数のレイヤは、前記第２の伝送ランクと同数のレイヤに対応する、工程（１１０８）と、
前記第２のマッピングの知識を用いて前記再送された情報信号の少なくとも一部を復号する工程（１１１０）と、
を有することを特徴とする方法。
【請求項１７】
ハイブリッド自動再送要求（ＨＡＲＱ）の２個以上のコードワードを用いて送信された情報信号を無線チャネルで受信する受信機（１０００）であって、
前記情報信号を受信するための１個以上の受信アンテナ（１００２）と、
前記情報信号を処理するために前記１個以上の受信アンテナに接続された受信チェイン要素（１００４）と、
前記２個以上のコードワードと、第１の伝送ランクを有する前記情報信号を生成するために用いられた第１の複数のレイヤとの間の第１のマッピングを判定するためのプロセッサ（１００６）であって、前記２個以上のコードワードの少なくとも１個は２個以上のレイヤにマッピングされており、前記第１のマッピングの知識を用いて前記情報信号を復号するように構成されたプロセッサ（１００６）と
を備え、
前記１個以上の受信アンテナ（１００２）は、２個以上のレイヤにマッピングされていたコードワードのうちの１個のコードワードに含まれる情報ビットのブロックに基づいて、再送用コードワードを用いて送信された第２の情報信号を受信するように構成され、前記第２の情報信号は第２の伝送ランクを有し、前記第２の伝送ランクは２以上であり、前記第２の伝送ランクは前記第１の伝送ランクと比較して減少しており、
前記プロセッサ（１００６）は、前記再送用コードワードと第２の複数のレイヤとの間の第２のマッピングを判定するようにさらに構成され、前記第２の複数のレイヤは、前記最初に受信された情報信号において前記１個のコードワードがマッピングされていたレイヤと同数であり、前記第２の複数のレイヤは、前記第２の伝送ランクと同数のレイヤに対応し、
前記プロセッサ（１００６）は、前記第２のマッピングの知識を用いて前記再送された情報信号の少なくとも一部を復号するようにさらに構成される
ことを特徴とする受信機（１０００）。